(57)【特許請求の範囲】
【請求項１】
仮設足場を構成する布板の側端部にこの布板の長さ方向に沿って取り付けられる仮設足場用幅木であって、
幅木本体にフック部材がねじ軸の回転によって上下動可能に配置され、前記フック部材は、前記ねじ軸が螺入した螺入部を有する上辺部と、この上辺部から下向きに延びる下向き延出部と、この下向き延出部から前記布板の幅方向内側へ延びる下辺部と、この下辺部から上向きに延びる上向き延出部とを有し、前記ねじ軸の回転で上方へ移動した前記フック部材の前記下辺部と前記幅木本体の下面とにより、下方へ突出した突出部を含んで構成されている前記布板の前記側端部を挟着する仮設足場用幅木において、
前記フック部材の前記上向き延出部が前記下辺部からこの下辺部に対して鈍角をなす角度で上向きに延出していることを特徴とする仮設足場用幅木。
【請求項２】
請求項１に記載の仮設足場用幅木において、前記幅木本体には、この幅木本体の上面に突出している前記ねじ軸の回転操作される上端部を除くねじ軸の軸部の全部又は略全部を覆うカバー部材が取り付けられ、このカバー部材の内部に少なくとも前記上辺部が収納されている前記フック部材は、前記カバー部材に案内されて上下動可能となっていることを特徴とする仮設足場用幅木。
【請求項３】
請求項１又は２に記載の仮設足場用幅木において、前記幅木本体の下面にはこの幅木本体の長さよりも短寸法の補助部材が取り付けられ、この補助部材に、前記布板の表面に形成されている溝に係合する突条部が設けられていることを特徴とする仮設足場用幅木。
【請求項４】
請求項３に記載の仮設足場用幅木において、前記幅木本体の長さ方向における前記補助部材の配置位置は、前記フック部材の配置位置と一致していることを特徴とする仮設足場用幅木。
【請求項５】
請求項１〜４のいずれかに記載の仮設足場用幅木において、前記幅木本体に対する前記ねじ軸の上下動を阻止するためのねじ軸上下動阻止手段を備えていることを特徴とする仮設足場用幅木。
【請求項６】
請求項５に記載の仮設足場用幅木において、前記ねじ軸上下動阻止手段は、前記ねじ軸に固定されたストッパ部材と、前記幅木本体に形成され、前記ストッパ部材の少なくとも一部が挿入された開口部とを含んで構成されていることを特徴とする仮設足場用幅木。
【発明の詳細な説明】
【技術分野】
【０００１】
本発明は、仮設足場を構成する布板に取り付けられる幅木に係り、建築工事現場や土木工事現場で構築される仮設足場に利用できるものである。
【背景技術】
【０００２】
建築工事現場や土木工事現場で構築される仮設足場は、作業者が歩いたり、工具類等を載せたりするための布板を含んで構成され、この布板からの作業者や工具類等の落下を防ぐために、布板の側端部にこの布板の長さ方向に沿って幅木を取り付けることが要請される。このような仮設足場用幅木の従来例は、下記の特許文献１に示されている。
【０００３】
この従来例の仮設足場用幅木では、幅木本体にフック部材がねじ軸の回転によって上下動可能に配置されており、フック部材は、ねじ軸が螺入した螺入部を有する上辺部と、この上辺部から下向きに延びる下向き延出部と、この下向き延出部から布板の幅方向内側へ延びる下辺部と、この下辺部から上向きに延びる上向き延出部とを有しており、ねじ軸の回転でフック部材を上方へ移動させると、フック部材の下辺部と幅木本体の下面とにより、下方へ突出した突出部を含んで構成されている布板の側端部が挟着され、これによって幅木は布板の側端部に取り付けられる。そして、この取り付けは、布板の上記突出部の内側の側面にフック部材の上向き延出部が係止することにより、布板からの幅木の脱落が防止された状態で行われる。
【特許文献１】特開２００２−２２７４０２
【発明の開示】
【発明が解決しようとする課題】
【０００４】
しかし、この従来例の仮設足場用幅木では、フック部材の上記上方延出部は上記下辺部から直角に上向きに延びたものとなっている。このため、ねじ軸の回転でフック部材を上方へ移動させることによってフック部材の下辺部と幅木本体の下面とにより、下方へ突出した突出部を含んで構成されている布板の側端部を挟着する作業を行う際には、フック部材の上向き延出部と上記下向き延出部との間の所定位置に布板の突出部がくるように、布板に対する幅木の位置を正確に設定して行わなければならず、これによると、布板に対する幅木の取付作業が面倒になり、幅木を布板に簡単に取り付けることは困難である。
【０００５】
本発明の目的は、布板に対する正確な位置設定が不要になり、布板への取付作業を容易に行えるようになる仮設足場用幅木を提供するところにある。
【課題を解決するための手段】
【０００６】
本発明に係る仮設足場用幅木は、仮設足場を構成する布板の側端部にこの布板の長さ方向に沿って取り付けられる仮設足場用幅木であって、幅木本体にフック部材がねじ軸の回転によって上下動可能に配置され、前記フック部材は、前記ねじ軸が螺入した螺入部を有する上辺部と、この上辺部から下向きに延びる下向き延出部と、この下向き延出部から前記布板の幅方向内側へ延びる下辺部と、この下辺部から上向きに延びる上向き延出部とを有し、前記ねじ軸の回転で上方へ移動した前記フック部材の前記下辺部と前記幅木本体の下面とにより、下方へ突出した突出部を含んで構成されている前記布板の前記側端部を挟着する仮設足場用幅木において、前記フック部材の前記上向き延出部が前記下辺部からこの下辺部に対して鈍角をなす角度で上向きに延出していることを特徴とするものである。
【０００７】
この仮設足場用幅木によると、フック部材の上向き延出部がフック部材の下辺部からこの下辺部に対して鈍角をなす角度で上向きに延びているため、布板に対する幅木の取り付け時において、布板に対する幅木の位置がフック部材の下辺部の長さ方向である布板の幅方向にずれた位置となっているときに、ねじ軸を回転操作してフック部材を上方へ移動させても、この上方への移動の途中において、フック部材の上向き延出部が布板の上記突出部の内側の角部に当接することになる。そして、ねじ軸の回転操作を継続させてフック部材を引き続き上方へ移動させることにより、フック部材の下辺部からこの下辺部に対して鈍角をなす角度で上向きに延びている上向き延出部の案内作用により、幅木の位置は布板の幅方向へ自動的に修正されることになる。このため、フック部材の下辺部と幅木本体の下面とにより、下方へ突出した上記突出部を含んで構成されている布板の前記側端部を挟着したときには、幅木は布板の所定の位置に取り付けられていることになる。
【０００８】
このため、本発明によると、幅木を布板に取り付ける作業を行う際に、布板に対する幅木の正確な位置設定が不要になり、これにより、布板への幅木の取付作業を容易に行えるようになる。
【０００９】
本発明において、幅木本体の上面にねじ軸の回転操作される上端部を突出させ、この上端部を除くねじ軸の軸部の全部又は略全部を覆うカバー部材を幅木本体に取り付け、これによってねじ軸の軸部の全部又は略全部をカバー部材で隠すようにしてもよく、この場合には、このカバー部材の内部にフック部材の少なくとも前記上辺部を収納し、フック部材をこのカバー部材に案内させて上下動可能とすることが好ましい。
【００１０】
これによると、ねじ軸の軸部の全部又は略全部を隠すことによって外力によるねじ軸の損傷の防止や作業者等からのねじ軸の隔絶を図るための部材となっているカバー部材を、フック部材を上下動させるための案内部材としても活用できることになり、カバー部材の多機能化によって幅木全体の部品点数の削減を達成することができる。
【００１１】
また、幅木本体の下面には、布板の表面に形成されている溝に係合する突条部を設け、この突条部により、幅木が布板に取り付けられたときの布板に対する幅木の滑り防止や位置決めを行えるようしてもよい。そして、このように幅木本体の下面に上記突条部を設ける場合には、幅木本体の下面にこの幅木本体の長さよりも短寸法の補助部材を取り付け、この補助部材に、布板の上記溝に係合する突条部を設けることが好ましい。
【００１２】
これによると、長寸法となっている幅木本体の全長に渡って突条部を形成する作業を省略できるため、幅木本体の下面に突条部を設けるための作業を簡略化できることになる。
【００１３】
また、突条部が設けられた上記短寸法の補助部材は幅木本体の長さ方向の任意の位置に取り付けてもよいが、幅木本体の長さ方向における補助部材の配置位置をフック部材の配置位置と一致させることが好ましい。
【００１４】
これによると、前記ねじ軸の回転で上方へ移動したフック部材の下辺部と幅木本体の下面とにより、下方に突出した前記突出部を含んで構成されている布板の側端部を挟着したとき、この挟着力を直接的に利用して補助部材の突条部を布板の溝に係合させることができるため、この係合力を大きくできる。また、布板の側端部に当接する幅木本体の下面は補助部材で補強されたことになり、このため、布板の側端部を挟着する力を大きくできることになる。
【００１５】
さらに、本発明に係る幅木には、幅木本体に対するねじ軸の上下動を阻止するためのねじ軸上下動阻止手段を設けることが好ましい。これによると、ねじ軸が、このねじ軸をフック部材の前記螺入部に螺入させているときには、ねじ軸とこのフック部材が、幅木本体に対して上下動することをねじ軸上下動阻止手段で阻止できるため、幅木を仮設足場が構築される作業現場へ搬送する際やこの作業現場で幅木を取り扱う際に、幅木をたとえ上下逆としても、ねじ軸やフック部材が幅木本体に対して移動してしまうことを防止できることになり、このため、幅木を容易に取り扱うことができる。
【００１６】
このようなねじ軸上下動阻止手段は任意な構造のものでよく、その一例は、ねじ軸上下動阻止手段を、ねじ軸に固定されたストッパ部材と、幅木本体に形成され、ストッパ部材の少なくとも一部が挿入された開口部とを含んで構成されているものとすることである。このねじ軸上下動阻止手段における上記開口部は、幅木本体に貫通状態で形成された孔でもよく、不貫通状態で形成された凹部や溝状のもの等でもよい。
【００１７】
なお、前述したように、カバー部材をフック部材の上下動の案内部材として活用することや、幅木本体よりも短寸法の補助部材に、布板の溝に係合する突条部を設けること、幅木にねじ軸上下動阻止手段を設けることは、フック部材の上向き延出部をフック部材の下辺部からこの下辺部に対して鈍角をなす角度で上向きに延出させない場合、すなわち、例えば、フック部材の上向き延出部をフック部材の下辺部からこの下辺部に対して直角上向きに延出させた場合においても適用することができる。
【００１８】
また、以上説明した本発明に係る幅木は、建築工事現場用の仮設足場にも用いることができ、土木工事現場用の仮設足場にも用いることができ、その仮設足場の工事対象物は任意である。
【発明の効果】
【００１９】
本発明によると、布板に対する幅木の正確な位置設定が不要になり、布板への幅木の取付作業を容易に行えるという効果を得られる。
【発明を実施するための最良の形態】
【００２０】
以下に本発明を実施するための形態を図面に基づいて説明する。図１は、本実施形態に係る幅木１０が用いられた仮設足場１を示し、この仮設足場１は、建物の建築現場で構築されたものであって、複数の建枠２と、これらの建枠２同士の間に水平に架設された布板３と、建枠２同士の間に斜めに掛け渡されたブレース４と、建枠２同士の間に水平に掛け渡された手摺り５とを含んで構成されている。手摺り５は、仮設足場１における建物とは反対側の背面側に配設され、幅木１０は、この背面側となっている布板３の側端部に、布板３の長さ方向に沿って取り付けられる。これにより、布板３の上に乗って作業を行う作業者や布板３の上に載せられている工具類等が仮設足場１の背面側から落下することが、幅木１０によって防止される。
【００２１】
図２は、幅木１０を一方の面から見た斜視図であり、図３は、幅木１０を他方の面から見た斜視図である。そして、図４は、幅木１０の構成部材を示す分解斜視図である。幅木１０は、幅木本体１１と、延長部材１２と、ねじ軸１３と、ストッパ部材１４と、フック部材１５と、カバー部材１６と、補助部材１７と、を主要部材として構成されている。ストッパ部材１４は、ねじ軸１３を上下に貫通させて螺入できるねじ孔を有する円盤状のナット部材となっており、フック部材１５の上端部には、ねじ軸１３を上下に貫通させて螺入させることができる螺入部１５Ａが設けられている。
【００２２】
幅木１０の側面図である図５に示されているとおり、左右方向に長い長寸法の部材となっている幅木本体１１は、鉛直のウェブ部１１Ａと、このウェブ部１１Ａの上下両端から同じ向きの水平方向に延びる上下フランジ部１１Ｂ、１１Ｃと、これらのフランジ部１１Ｂ、１１Ｃの先端から互いに接近する上下方向に延びる上下リップ部１１Ｄ，１１Ｅとを有するチャンネル材で形成され、本実施形態では、リップ部１１Ｄ、１１Ｅの先端には、ウェブ部１１Ａ側へ折り曲げられた折曲片１１Ｆ、１１Ｇが設けられている。上下フランジ部１１Ｂ、１１Ｃのうち、下フランジ部１１Ｃの水平方向延出量は上フランジ部１１Ｂの水平方向延出量よりも少し長くなっている。
【００２３】
幅木本体１１の長さは、図１で示した仮設足場１の互いに隣り合っている２個の建枠２の間隔よりも少し短い長さとなっている。この幅木本体１１の長さ方向の両端部である左右の両端部には、図２及び図３で示されているとおり、板材からなる延長部材１２がリベット等の結合具で結合され、図１で示されているように、２個の幅木１０が、これらの幅木１０の長さ方向に直列的に配置されて２個の布板３に取り付けられたとき、これらの幅木１０の互いに向かい合う側の２個の延長部材１２同士が重なり合い、これにより、これらの幅木１０の間に隙間が生じないようになっている。また、重なり合った延長部材１２は建枠２の縦材２Ａと対面するとともに、反対側の延長部材１２も建枠２の縦材２Ａと対面するようになっており、これにより、それぞれの幅木１０が、幅木１０の長さ方向と直交する水平方向である幅木１０の厚さ方向の荷重であって仮設足場１の前記背面側への荷重を受けたとき、この荷重を、延長部材１２を介して建枠２の縦材２Ａによって支持できるようになっている。
【００２４】
また、図４及び図５に示されているように、それぞれの延長部材１２の上下部には、略半円形に湾曲成形された補強部１２Ａが設けられ、これらの補強部１２Ａにより、上記荷重に対する延長部材１２の曲げ強度が大きくなっている。
【００２５】
図４で示すとおり、幅木本体１１の長さ方向の所定の位置において、具体的には、２個のフック部材１５を配置するそれぞれの位置において、幅木本体１１の上フランジ部１１Ｂには孔２０が形成され、ウェブ部１１Ａには貫通孔である開口部２１が形成され、下リップ部１１Ｅと下折曲片１１Ｇには切欠部２２が形成されている。
【００２６】
ねじ軸１３の上端には、この上端に螺入させたナット部材３０が溶接等で結合され、このナット部材３０により、スパナー等の工具で回転操作できるねじ軸１３の上端部１３Ａがねじ軸１３に設けられている。なお、このように回転操作できるねじ軸１３の上端部１３Ａは、手で直接回転させることができるナット部材等によって形成してもよい。
【００２７】
幅木１０を組み立てるときには、先ず、ねじ軸１３を、ねじ軸１３の下端から座金２３を挿入した後に幅木本体１１の上フランジ部１１Ｂの孔２０に挿入し、そして、幅木本体１１のウェブ部１１Ａの開口部２１に予め一部を挿入させていたストッパ部材１４に、ねじ軸１３を螺入する（図６も参照）。この後、ねじ軸１３を回転させることにより、上端部１３Ａが幅木本体１１の上フランジ部１１Ｂの上面に当たるまで、ねじ軸１３を上から下へ幅木本体１１に配設し、ストッパ部材１４に形成されているねじ孔に図６で示す小ねじ２４を螺入し、その先端をねじ軸１３に圧接させることにより、ストッパ部材１４をねじ軸１３に固定する。
【００２８】
これにより、上端部１３Ａでねじ軸１３を回転操作しても、ねじ軸１３と一体に回転するストッパ部材１４は開口部２１で上下動が規制されるため、ねじ軸１３は上下動することなく単に回転するだけとなる。
【００２９】
上述のように、上端部１３Ａが幅木本体１１の上フランジ部１１Ｂの上面に当たるまでねじ軸１３を上から下へ幅木本体１１に配設する際、図４で示すフック部材１５の前記螺入部１５Ａが設けられている上端部を、前記切欠部２２を通して幅木本体１１の内部側へ、すなわち下フランジ部１１Ｃを越えてウェブ部１１Ａ側へ挿入しておくことにより、螺入部１５Ａにねじ軸１３を上から下へ螺入貫通させる。フック部材１５は、図６で示されているように、上下に貫通した孔が形成されていてナット部材２５による螺入部１５Ａが設けられた上辺部１５Ｂと、この上辺部１５Ｂにおける布板３の幅方向外側の端部から鉛直下向きに延びる下向き延出部１５Ｃと、この下向き延出部１５Ｃの下端から布板３の幅方向内側へ水平に延びる下辺部１５Ｄと、この下辺部１５Ｄの先端から上向きに延びる上向き延出部１５Ｅとからなり、この上向き延出部１５Ｅは、下辺部１５Ｄの先端からこの下辺部１５Ｄに対して鈍角をなす角度で上向きに延出している。
【００３０】
上辺部１５Ｂは、幅木本体１１の下フランジ部１１Ｃよりも上側にあり、また、下向き延出部１５Ｃは、この下フランジ部１１Ｃの先端を越えた幅木本体１１の外側にあり、さらに、下辺部１５Ｄと上向き延出部１５Ｅは、下フランジ部１１Ｃよりも下側にある。すなわち、下辺部１５Ｄと上向き延出部１５Ｅは、幅木本体１１の下面よりも下側に配置されている。
【００３１】
図４で示すカバー部材１６は、上下面と幅木本体１１側の面とが開口面となっていて同一断面が上下方向に連続している矩形部１６Ａと、この矩形部１６Ａの幅木本体１１側の端部から左右の互いに離れる方向に折り曲げられた２個のフランジ部１６Ｂとから断面ハット形状となっている。矩形部１６Ａの内側の左右寸法は、フック部材１５の左右寸法よりも若干大きく、また、矩形部１６Ａの外側の左右寸法は、幅木本体１１の前記切欠部２２の左右寸法よりも若干小さくなっている。また、カバー部材１６の全体の上下寸法は、図６から分かるように、幅木本体１１の上リップ部１１Ｄの上下寸法と下フランジ部１１Ｃの厚さ寸法とを差し引いた幅木本体１１の全体上下寸法と同じ又はこれより若干小さくなっている。
【００３２】
このような形状及び寸法となっているカバー部材１６は、図２で示されているように、２個のフランジ部１６Ｂが幅木本体１１のウェブ部１１Ａに当接するまで、矩形部１６Ａの大部分を幅木本体１１の内部に挿入し、幅木本体１１の内部に挿入できない矩形部１６Ａの部分を切欠部２２から幅木本体１１の外部へ突出させ、そして、フランジ部１６Ｂをリベット等の結合具でウェブ部１１Ａに結合することにより、カバー部材１６を幅木本体１１に取り付ける。
【００３３】
このようにカバー部材１６を幅木本体１１に取り付けると、幅木本体１１の上面である上フランジ部１１Ｂの上面に上端部１３Ａが突出しているねじ軸１３の軸部の略全部は、カバー部材１６の矩形部１６Ａの内部に収納されるため、この軸部の略全部はカバー部材１６によって覆われることになり、また、フック部材１５の上辺部１５Ｂもカバー部材１６の内部に収納されることになる。
【００３４】
そして、上述したように、矩形部１６Ａの内側の左右寸法は、フック部材１５の左右寸法よりも若干大きい寸法となっているため、ねじ軸１３を上端部１３Ａでの回転操作で回転させたとき、このねじ軸１３が螺入している螺入部１５Ａを有しているフック部材１５は、ねじ軸１３を中心とした回転がカバー部材１６で阻止されながらねじ軸１３のねじ送り作用によって上下方向に移動することになり、フック部材１５は、カバー部材１６に案内されながら上下動することになる。また、このときには、ねじ軸１３は、幅木本体１１に形成された前記開口部２１に一部が挿入されたストッパ部材１４によって上下動が阻止されるため、ねじ軸１３は、ねじ軸１３自身が上下動することなく、フック部材１５を上下動させることになる。
【００３５】
このため、ねじ軸１３に固定されたストッパ部材１４と、幅木本体１１のウェブ部１１Ａに形成され、ストッパ部材１４の一部が挿入された開口部２１とにより、ねじ軸１３の上下動を阻止するためのねじ軸上下動阻止手段２６（図６参照）が構成されている。
【００３６】
なお、本実施形態では、ねじ軸１３はねじピッチが大きいボールねじで形成されているため、ねじ軸１３を１回転させることによってフック部材１５を上下動させることができるその上下動ストロークは大きくなっている。
【００３７】
幅木本体１１よりも左右方向の長さが短くなっている図４で示す補助部材１７は板材の折り曲げで形成され、図５で示されているとおり、幅木本体１１のウェブ部１１Ａの外面に当てがわれる鉛直部１７Ａと、この鉛直部１７Ａの下端から屈曲した水平部１７ＢとからなるＬ字状である。鉛直部１７Ａは、カバー部材１６のフランジ部１６Ｂを幅木本体１１のウェブ部１１Ａに結合するための上記結合具により、フランジ部１６Ｂと共にウェブ部１１Ａに共締めされる。
【００３８】
このように幅木本体１１に取り付けられる補助部材１７の幅木本体１１の長さ方向における配置位置は、ねじ軸１３及びフック部材１５の配置位置と一致している。
【００３９】
幅木本体１１の下面に配置される補助部材１７の水平部１７Ｂには、図５で示すように、下方へ突出する突条部２７が形成されており、この突条部２７は、補助部材１７の左右の幅の全長に渡って連続している。この突条部２７は、図６及び図７で示す布板３の表面の側端部に形成された溝２８に上から挿入できるものになっている。この溝２８は、布板３の上に乗る作業者のスリップ止めのために布板３の幅方向に複数形成されたうちの一つである。
【００４０】
なお、布板３は、布板３の輪郭と骨組みを形成している複数のフレーム部材３１と、これらのフレーム部材３１の上面に固定された天板部材３２とを含んで構成され、幅木１０は、布板３のうち、側部フレーム部材３１Ａによって下方へ突出した突出部３Ａが形成されている側端部において、布板３に後述するように取り付けられるようになっている。
【００４１】
幅木１０を布板３に取り付けるときには、ねじ軸１３の回転により、図６で示すように、フック部材１５の上辺部１５Ｂを幅木本体１１の下フランジ部１１Ｃの上面近くまで達しているねじ軸１３の下端の近傍まで降ろし、これにより、幅木本体１１の下面とフック部材１５の下辺部１５Ｄとの間隔を布板３の突出部３Ａの上下寸法よりも大きくする。次いで、幅木本体１１の下面とフック部材１５の下辺部１５Ｄとの間に突出部３Ａが入るように、幅木１０を布板３の幅方向内側へ移動させ、この後、ねじ軸１３を上端部１３Ａの回転操作で回転させてフック部材１５を上方へ移動させることにより、図７で示すとおり、フック部材１５の下辺部１５Ｄと幅木本体１１の下面とにより、布板３の下方へ突出した突出部３Ａを含んで構成されている側端部を挟着する。これにより、幅木１０は布板３に取り付けられることになる。
【００４２】
以上のように行われる布板３への幅木１０の取付作業の開始時において、図６で示すように、布板３に対する幅木１０の位置が正確な位置となっておらず、この正確な位置から幅木１０が布板３の幅方向外側へＷ分だけずれている場合には、ねじ軸１３の回転でフック部材１５を上方へ移動させる途中において、フック部材１５の上向き延出部１５Ｅは下辺部１５Ｄからこの下辺部１５Ｄに対して鈍角をなす角度で上向きに延びているため、上向き延出部１５Ｅが布板３の突出部３Ａの内側の角部３Ｂに当接することになる。そして、ねじ軸１３の回転操作を継続させてフック部材１５を引き続き上方へ移動させることにより、上述のように傾斜している上向き延出部１５Ｅの案内作用により、幅木１０の位置は布板３の幅方向内側へ自動的に修正されることになる。このため、図７のようにフック部材１５の下辺部１５Ｄと幅木本体１１の下面とにより、突出部３Ａが設けられている布板３の側端部が挟着されたときには、幅木１０は布板３の所定位置に取り付けられていることになる。
【００４３】
また、この取り付け後において、フック部材１５の上向き延出部１５Ｅは、布板３の突出部３Ａの内側の内面と対面しているため、幅木１０が布板３の幅方向外側へ移動することは上向き延出部１５Ｅで阻止され、幅木１０が布板３の幅方向内側へ移動することはフック部材１５の下向き延出部１５Ｃで阻止される。さらに、このときには、補助部材１７の突条部２７は布板３の溝２８に係合しているため、これらの突条部２７と溝２８により、布板３に対する幅木１０の滑り防止及び位置決めが行われている。
【００４４】
以上説明したように、本実施形態によると、フック部材１５の上向き延出部１５Ｅは下辺部１５Ｄからこの下辺部１５Ｄに対して鈍角をなす角度で上向きに延びているため、布板３に対する幅木１０の取付作業の開始時において、布板３に対して幅木１０の位置が布板３の幅方向にずれていても、布板３に幅木１０を正確に取り付けることができ、このため、布板３に対する幅木１０正確な位置設定が不要になり、幅木１０布板３への取付作業を容易に行えるようになる。
【００４５】
また、本実施形態によると、幅木本体１１には、ねじ軸１３の軸部の略全部を覆うカバー部材１６が取り付けられているため、ねじ軸１３が外力によって損傷することを防止でるとともに、作業者等からねじ軸１３を隔絶することができる。
【００４６】
そして、フック部材１５はカバー部材１６に案内されて上下動するため、このカバー部材１６を、フック部材１５を上下動させるための案内部材としても活用できることになり、カバー部材１６の多機能化によって幅木１０全体の部品点数の削減を達成することができる。
【００４７】
また、幅木本体１１の下面には、この幅木本体１１の長さよりも短寸法の補助部材１７が取り付けられ、この補助部材１７に、布板３の溝２８に係合する突条部２７を設けたため、長寸法となっている幅木本体１１の全長に渡って突条部２７を形成する作業を省略でき、幅木本体１１の下面に突条部２７を設けるための作業を簡略化できる。
【００４８】
また、この補助部材１７は幅木本体１１の長さ方向におけるねじ軸１３及びフック部材１５の配置位置と同じ位置に配置されているため、ねじ軸１３の回転で上方へ移動したフック部材１５の下辺部１５Ｄと幅木本体１１の下面とにより、突出部３Ａを含んで構成されている布板３の側端部を挟着したとき、この挟着力を直接的に利用して補助部材１７の突条部２７を布板３の溝２８に係合させることができ、この係合力を大きくできる。さらに、布板３の側端部の上面に当接する幅木本体１１の下面は補助部材１７で補強されたことになるため、布板３の側端部を挟着する力を大きくできる。
【００４９】
さらに、本実施形態に係る幅木１０には、ねじ軸１３に固定されたストッパ部材１４と、幅木本体１１のウェブ部１１Ａに形成され、このストッパ部材１４の一部が挿入した開口部２１とにより、ねじ軸１３が幅木本体１１に対して上下動することを阻止するねじ軸上下動阻止手段２６が設けられているため、幅木１０を図１で示した仮設足場１が構築される作業現場へ搬送する際や、この作業現場で幅木１０を取り扱う際に、幅木１０をたとえ上下逆にしても、ねじ軸１３やフック部材１５が幅木本体１１に対して移動してしまうことを防止でき、このため、幅木１０を容易に取り扱うことができる。
【産業上の利用可能性】
【００５０】
本発明は、建築作業現場や土木作業現場で構築される仮設足場に取り付けられる幅木に利用することができる。
【図面の簡単な説明】
【００５１】
【図１】本発明の一実施形態に係る幅木が用いられている仮設足場の全体斜視図である。
【図２】幅木を一方の面から見た斜視図である。
【図３】幅木を他方の面から見た斜視図である。
【図４】幅木の構成部材を示す分解斜視図である。
【図５】幅木の側面図である。
【図６】布板への幅木の取付作業を開始するときにおける布板と幅木の断面図である。
【図７】布板への幅木の取付作業が終了したときにおける布板と幅木の断面図である。
【符号の説明】
【００５２】
１  仮設足場
３  布板
３Ａ  突出部
１０  幅木
１１  幅木本体
１３  ねじ軸
１３Ａ  上端部
１４  ストッパ部材
１５  フック部材
１５Ａ  螺入部
１５Ｂ  上辺部
１５Ｃ  下向き延出部
１５Ｄ  下辺部
１５Ｅ  上向き延出部
１６  カバー部材
１７  補助部材
２１  開口部
２６  ねじ軸上下動阻止手段
２７  突条部
２８  溝
【図１】
0004652207.tif 000002
【図２】
0004652207.tif 000003
【図３】
0004652207.tif 000004
【図４】
0004652207.tif 000005
【図５】
0004652207.tif 000006
【図６】
0004652207.tif 000007
【図７】
0004652207.tif 000008